(57)【要約】      （修正有）【課題】傾斜シュートに穀物を滞留させる緩衝装置を設けた場合であっても、搬送穀物の品種等が変わったり、搬送作業が終了したりするたびに滞留穀物を除去するための掃除をする必要のない穀物シュート配管における緩衝装置を提供する。【解決手段】穀物シュート配管２における緩衝装置は、投入される穀物を斜め下向きに流下案内する傾斜シュート下端部に、傾斜シュート下端部と連通する流入口３と、流入口と対向する底面６と、底面の最低辺に接するとともに流入口面と略直角に位置する排出口とを備えてなる緩衝箱１を設け、排出口には比較的大きな上部排出口部と比較的小さな下部排出口部とを形成すべく規制板７を設けたことを特徴とする。【選択図】図１
2018008810.tif 000002
【特許請求の範囲】
【請求項１】
投入される穀物を斜め下向きに流下案内する傾斜シュート下端部に、該傾斜シュート下端部と連通する流入口と、該流入口と対向する底面と、該底面の最低辺に接するとともに前記流入口面と略直角に位置する排出口と、を備えてなる緩衝箱を設け、前記排出口には比較的大きな上部排出口部と比較的小さな下部排出口部とを形成すべく規制板を設けたことを特徴とする穀物シュート配管における緩衝装置。      
【請求項２】
前記規制板は、前記上部排出口及び下部排出口の大きさを相対的に可変とすべく上下動可能に設けてなる請求項１の穀物シュート配管における緩衝装置。
【請求項３】
前記排出口に排出樋を設け、該排出樋下端には下方に向く排出側移送管を連結してなる請求項１又は２の穀物シュート配管における緩衝装置。
【請求項４】
前記流入口に流入側移送管を設け、該流入側移送管と前記シュート下端部とを接続管によって連結してなる請求項１乃至３いずれかの穀物シュート配管における緩衝装置。
【発明の詳細な説明】
【技術分野】
【０００１】
本発明は、米麦や豆類を含む穀物を搬送するための穀物シュート配管に係り、特に、穀物シュート配管における緩衝装置に関する。
【背景技術】
【０００２】
従来、シュート配管を使って穀物を自重で流下させると、加速度がついて流下速度が速くなり、そのため、シュートの曲り部分（エルボ）においてシュート内壁面に衝突したり、搬送先の各種機械装置やベルトコンベア等の搬送装置の供給部に激突したりして、穀物が損傷するとともに、前記エルボ部の急速な摩耗や穀物の周囲への飛散を招くこととなる。
【０００３】
そこで、斜めシュートの端部に窪みを形成するとともに、そのやや上流側に下向きシュートを連絡した構成とし、少量の穀物を前記窪みに滞留させることにより、前記斜めシュートから高速度で流下する穀物が前記窪み内の穀物に受け止められることにより、流下スピードを落として前記下向きシュート内を落下するものが知られている（特許文献１の第７図等参照）。
しかしながら、特許文献１の場合、搬送する穀物が変わった時や、搬送作業終了時には前記窪み内に滞留する穀物を清掃して取り除く必要があった。
【０００４】
【先行技術文献】
【特許文献】
【０００５】
【特許文献１】実開平３−２８３９３
【発明の概要】
【発明が解決しようとする課題】
【０００６】
本発明は、上記問題点にかんがみ、傾斜シュートに穀物を滞留させる緩衝装置を設けた場合であっても、搬送穀物の品種等が変わったり、搬送作業が終了したりするたびに滞留穀物を除去するための掃除をする必要のない穀物シュート配管における緩衝装置を提供することを目的とする。
【課題を解決するための手段】
【０００７】
上記目的を達成するため、本発明の穀物シュート配管における緩衝装置は、
投入される穀物を斜め下向きに流下案内する傾斜シュート下端部に、該傾斜シュート下端部と連通する流入口と、該流入口と対向する底面と、該底面の最低辺に接するとともに前記流入口面と略直角に位置する排出口と、を備えてなる緩衝箱を設け、前記排出口には比較的大きな上部排出口部と比較的小さな下部排出口部とを形成すべく規制板を設けたことを特徴とする。      
【０００８】
前記規制板は、前記上部排出口及び下部排出口の大きさを相対的に可変とすべく上下動可能に設けるとよい。
【０００９】
前記排出口に排出樋を設け、該排出樋下端には下方に向く排出側移送管を連結するとよい。
【００１０】
前記流入口に流入側移送管を設け、該流入側移送管と前記シュート下端部とを接続管によって連結することもできる。
【発明の効果】
【００１１】
傾斜シュート下端部から緩衝箱の流入口に流下する穀物は、該緩衝箱の排出口に設けた規制板によってせき止められた穀物に衝突することによって緩衝作用を受ける。その際、穀物の流量が増えた場合も上部開口部から順次排出されるので穀物が緩衝箱内で詰まることがなく、他方、穀物の流量が減少した場合も、比較的小さな下部排出口部によって最低限の穀物が保持される。また、穀物の搬送作業の終了に伴って下部開口部から穀物が完全に排出されるので、残留穀物が生じない。  
【００１２】
前記上部排出口及び下部排出口の大きさを相対的に可変とすべく前記規制板を上下動可能に設けることによって、穀物の大きさや性状、及び穀物の流量に応じて規制板を調整し、常に最適な量の穀物を緩衝箱内に溜めておくことができる。
【図面の簡単な説明】
【００１３】
【図１】本発明の実施の形態を示す緩衝箱の側面図である。
【図２】図１におけるＡ-Ａ線の断面図である。
【図３】図1の乾燥箱の斜視図である。
【発明を実施するための形態】
【００１４】
以下、図面を参照しつつ本発明の実施の形態に係る穀物シュート配管における緩衝装置ついて説明する。
図１において、傾斜シュート２の傾斜下端部に緩衝箱１が設けられる。すなわち、略箱状の緩衝箱１の一面に設けた丸孔形状の流入口３から突設した流入側移送管４と、前記傾斜シュート２の傾斜下端部とをバンド型の接続管５によって接続する。
前記緩衝箱１において、流入口３を開口した面と対向する面を底面６となし、該底面６の内面側にはウレタンゴム７を貼設する。前記流入口３を開口した面及び底面６は前記傾斜シュート２の傾斜角に対して略垂直の関係にあり、したがって、前記流入口３及び底面６は共に傾斜状に設けられる。
【００１５】
前記底面６は傾斜状の矩形面であり、その最も低い一辺と前記流入口３を開口する面の最も低い一辺との間を排出口８となす。前記排出口８は略正方形を呈しており、その排出口８を塞ぐように規制板９が設けられる。前記規制板９は両側を折り曲げてブラケット部１０ａ，１０ｂとなし、前記規制板９は、これら一対のブラケット部１０ａ，１０ｂによって前記排出口８の対向する一対の側面１１ａ，１１ｂ間に装着される。
さらに、前記一対の側面１１ａ，１１ｂには前記規制板９を上下動可能とすべく、それぞれ複数の長孔１２を設け、これらの長孔１２を介して蝶ボルト１３等によって前記一対のブラケット部１０ａ，１０ｂを固着する。これにより、前記規制板９を挟んで上方に比較的大きな上部排出口部８aが、同下方に比較的小さな下部排出口部８bが形成される。そして、前記規制板９の上縁中央部に切込み部９aを形成することにより、前記上部排出口部８aをより大きく確保することができる。
【００１６】
前記排出口８にホッパー状の排出樋１４を接続して設け、該排出樋下端には下方に向く排出側移送管１５を連結する。また、緩衝箱１の一方の側面１１bには点検窓１６を開口するとともに該点検窓１６には透明樹脂板１７を蓋として装着することにより、緩衝状態の確認等を行うことができる。
【００１７】
本実施の形態によれば、傾斜シュート２内を自重によって流下する穀物、例えば小豆は、当初、緩衝箱１の流入口３から流入して底面６のウレタンゴム７に直接衝突するが、順次流入する小豆は規制板９にせき止められて緩衝箱１の底部に一定量が溜まる。ここで、下部排出口部８bは、あらかじめ、小豆１粒が通過可能な大きさに合わせた開口度としておくことで、前記下部開口部８bから小豆が排出され過ぎないようにして一定量の滞留を保持する。これにより、流入口３から流入する小豆粒子は、前記底部に滞留した小豆に衝突することによって軟着陸することができるので、小豆に傷が生じたり飛び跳ねたりすることがなく、規制板９の切込み部９aから排出樋１４内へ溢流して排出側移送管１５を経由して次工程へ搬送される。
【００１８】
そして、何らかの理由により前工程からの小豆の移送量が急増した場合は、切込み部９aを含む上部排出口部８aから排出されることにより、緩衝箱１内で小豆が詰まることはない。一方、前工程からの小豆の移送量が急減した場合であっても、下部排出口部８bが小豆の大きさに合わせて調整してあるため、緩衝箱１底部には一定量が滞留し、緩衝作用を保持することができる。前工程からの小豆の移送がなくなれば、小豆は下部排出口部８bから全て排出されるので、緩衝箱１底部には残留物は皆無となる。
【００１９】
次に、小豆に代えて大豆を搬送する場合は、蝶ボルト１３を緩めて規制板９の位置を上方へ摺動させて、下部排出口部８bから大豆１粒が通過できる間隙に調整し、蝶ボルト１３を締め付けて規制板９を固定する。
【００２０】
【産業上の利用可能性】
【００２１】
本発明の穀物シュート配管における緩衝装置は、簡潔な構成により、傷付きやすい穀物を搬送する際に利用できて極めて利用価値が高い。
【符号の説明】
【００２２】
１    緩衝箱      
２    傾斜シュート
３    流入口
４    流入側移送管
５    接続管
６    底面
７    ウレタンゴム
８    排出口
８a    上部排出口部
８b    下部排出口部
９    規制板
１０a，１０b    ブラケット部
１１a，１１b    側面
１２    長孔
１３    蝶ボルト
１４    排出樋
１５    排出側移送管
１６    点検窓
１７    透明樹脂板
【図１】
2018008810.tif 000003
【図２】
2018008810.tif 000004
【図３】
2018008810.tif 000005